(57)【要約】【課題】洗濯機の全体の大きさを変更せずにドラムの容積を大きくすることが可能であり、かつ、脱水行程の立ち上がり時間を短縮することが可能な洗濯機を提供する。【解決手段】洗濯機１は、筐体１０１と、水槽１１０と、洗濯物を出し入れするための開口部１２２と底部１２１とを有し、洗濯物を収容して水平方向に対して傾斜した回転軸線を中心に回転することができるように水槽１１０の内部に配置され、内部で洗濯物の洗い、すすぎおよび脱水を行なうための洗濯槽１２０と、回転軸線を中心に洗濯槽１２０を回転させる駆動部１３０と、排水管１４１と排水ホース１４２とを備える。洗濯槽１２０はテーパ形状に形成され、底部１２１は開口部１２２よりも下方に配置されている。洗濯槽１２０には、開口部１２２側に排水孔１２４が形成されている。排水管１４１の入口は、洗濯槽１２０の外部において洗濯槽１２０の開口部１２２の近傍に配置されている。【選択図】図１
2011120634.tif 000002
【特許請求の範囲】
【請求項１】
筐体と、
前記筐体の内部に配置される水槽と、
洗濯物を出し入れするための開口部と前記開口部に対向する底部とを有し、洗濯物を収容して水平方向に対して傾斜した回転軸線を中心に回転することができるように前記水槽の内部に配置され、内部で洗濯物の洗い、すすぎおよび脱水を行なう洗濯槽と、
回転軸線を中心に前記洗濯槽を回転させる駆動部と、
前記洗濯槽内の水を前記筐体の外部に排出するための排水路とを備え、
前記洗濯槽は、前記底部から前記開口部に向かうにつれて次第に径が大きくなるテーパ形状に形成され、前記底部は前記開口部よりも下方に配置され、
前記洗濯槽には、前記開口部側に排水孔が形成され、
前記排水路は入口を有し、前記排水路の入口は、前記洗濯槽の外部において前記洗濯槽の開口部の近傍に配置されている、洗濯機。
【請求項２】
水および洗剤泡を貯留するための滞留部を備え、
前記滞留部は、前記排水路の入口に配置されている、請求項１に記載の洗濯機。
【請求項３】
前記滞留部は、前記滞留部に貯留された水または洗剤泡が前記洗濯槽の外周面と離隔して貯留されるように構成されている、請求項２に記載の洗濯機。
【請求項４】
滞留水排水路を備え、
前記滞留水排水路は入口を有し、
前記滞留水排水路の入口は、前記滞留部と前記洗濯槽の開口部との間に配置されている、請求項２または請求項３に記載の洗濯機。
【請求項５】
前記洗濯槽の内部から排出された水を前記洗濯槽の内部に戻すための循環水路と、
前記循環水路内において水を送出するための循環ポンプとを備える、請求項１から請求項４までのいずれか１項に記載の洗濯機。
【請求項６】
前記水槽に接続される水槽排水経路を備え、
前記水槽排水経路は入口を有し、前記水槽排水経路の入口は、前記洗濯槽の底部の近傍に配置されている、請求項１から請求項５までのいずれか１項に記載の洗濯機。
【発明の詳細な説明】
【技術分野】
【０００１】
この発明は洗濯機に関する。
【背景技術】
【０００２】
従来、洗濯機には、洗濯物を収容する洗濯槽の底部に排水のための穴が形成されるだけでなく、外周壁面にも穴が形成されているものがある。このように構成された洗濯機では、脱水時に洗濯槽を高速で回転させることによって、外周壁面の穴から水を排出することができる。
【０００３】
例えば、特開２００３−１０３０８６号公報（特許文献１）には、水平な横軸周りに支承されて前面部に開口を有し、洗い、脱水および乾燥に共用の回転槽として機能するドラムを備える洗濯乾燥機が記載されている。ドラムの胴部は、前方に向かって拡開するテーパ状をなし、その先端部に例えば１列に脱水穴を形成し、その反対側である後面部側には例えば１列の排水穴が形成されている。ドラムの排水穴と脱水穴から排出される水は、水槽の後方側において水槽の胴部の下面に接続される排水路から洗濯乾燥機の外部に排出される。
【０００４】
また、特開２００９−２８４００号公報（特許文献２）には、回転軸心を水平よりも前方に向かって高くなるように傾斜させた筒状の回転槽の後方側端面に排水口が開けられた洗濯機が記載されている。排水口には排水弁が設けられ、回転槽に給水を行う洗濯時には、重力および水圧により、排水口を水密に閉じた状態になる。また、この洗濯機の回転槽には、前方側端部に複数の脱水口が設けられている。脱水口には、脱水口を開閉する脱水弁が設けられている。脱水弁は、通常はバネで回転槽側へ付勢され、脱水口を水密に閉じるように設定されている。脱水時には、脱水弁は遠心力でバネの付勢力に反して開くように設定されている。排水口と脱水口とから排水される水は、外槽の後方側端部に接続されている排水ホースを通って洗濯機の外部に排出される。
【先行技術文献】
【特許文献】
【０００５】
【特許文献１】特開２００３−１０３０８６号公報
【特許文献２】特開２００９−２８４００号公報
【発明の概要】
【発明が解決しようとする課題】
【０００６】
しかしながら、特開２００３−１０３０８６号公報（特許文献１）に記載の洗濯乾燥機では、ドラムの排水穴と脱水穴から排出される水は、水槽の後方側において水槽の胴部の下面に接続される排水路から洗濯乾燥機の外部に排出されるので、水槽の後方側に水が溜まりやすい。水槽内の後方側にはドラムの後方側が配置されている。ドラムの前方側よりも後方側が低い位置になるように傾斜して配置されている場合には、水槽内の後方側に水が溜まると、ドラムの後方側が水槽内に溜まった水に接触することがある。ドラムの前方側と後方側がほぼ水平に配置されている場合には、ドラムの外壁面の全体が水槽内に溜まった水に接触することがある。
【０００７】
また、特開２００９−２８４００号公報（特許文献２）に記載の洗濯機でも、排水口と脱水口とから排水される水は、外槽の後方側端部に接続されている排水ホースを通って洗濯機の外部に排出されるので、同様に、外槽内の後方側に水が溜まると、回転槽の後方側が外槽内に溜まった水に接触することがある。
【０００８】
このように、洗濯槽（回転槽、ドラム）が水槽内に溜まった水に接触すると、洗濯槽を高速で回転させるときに、水の抵抗が非常に大きくなり、洗濯槽を回転させる駆動部のトルクが不足して、洗濯槽の回転が停止してしまう。洗濯槽の回転が停止すると、洗濯槽内に溜まった水や洗剤泡が水槽外に排出されるのを１分程度待ってから、再び洗濯槽を回転させる必要がある。このように、洗濯槽の回転が停止してしまうと、余計な時間がかかる。
【０００９】
洗濯槽を、水槽内に溜まった水に接触させないようにするためには、水槽と洗濯槽との間隔を大きく開ければよいが、そうすると、水槽と洗濯機全体が大きくなったり、洗濯機全体の大きさを変えないで水槽と洗濯槽との間隔を広くする場合には洗濯槽が小さくなったりする。
【００１０】
そこで、この発明の目的は、洗濯機の全体の大きさを変更せずにドラムの容積を大きくすることが可能であり、かつ、脱水行程の立ち上がり時間を短縮することが可能な洗濯機を提供することである。
【課題を解決するための手段】
【００１１】
この発明に従った洗濯機は、筐体と、水槽と、洗濯槽と、駆動部と、排水路とを備える。水槽は、筐体の内部に配置される。洗濯槽は、洗濯物を出し入れするための開口部と開口部に対向する底部とを有し、洗濯物を収容して水平方向に対して傾斜した回転軸線を中心に回転することができるように水槽の内部に配置され、内部で洗濯物の洗い、すすぎおよび脱水を行なうためのものである。駆動部は、回転軸線を中心に洗濯槽を回転させるものである。排水路は、洗濯槽内の水を筐体の外部に排出するためのものである。
【００１２】
洗濯槽は、底部から開口部に向かうにつれて次第に径が大きくなるテーパ形状に形成され、底部は開口部よりも下方に配置されている。洗濯槽には、開口部側に排水孔が形成されている。
【００１３】
排水路は入口を有し、排水路の入口は、洗濯槽の外部において洗濯槽の開口部の近傍に配置されている。
【００１４】
駆動部によって洗濯槽が回転させられると、洗濯槽内の水は、遠心力によってテーパ形状に形成された洗濯槽の周壁面に沿って、底部から開口部に向かって流れる。洗濯槽の開口部側には、排水孔が形成されている。開口部まで流れた洗濯槽内の水は、排水孔を通って洗濯槽の外部に排出される。
【００１５】
開口部の近傍には、排水路の入口が配置されている。排水孔から排出された水は、排水路の入口から排水路に流入する。
【００１６】
このように、洗濯槽内から排出される、洗濯に用いられた水、すなわち洗濯の水や泡は、洗濯槽の開口部側から排出されて、そのまま排水路に流入するので、洗濯槽と水槽との間に流れ込みにくくなり、洗濯槽と水槽との間に水が溜まりにくくなる。このように、洗濯槽の回転の阻害要因となっていた水槽内の洗濯の水や泡がなくなるので、従来必要とされていた、洗濯の水や泡を水槽外に排出するための１分程度の待ち時間が不要になる。
【００１７】
また、水槽内の洗濯の水や泡がなくなるので、水槽と洗濯槽との間を大きくあける必要がなくなる。
【００１８】
このようにすることにより、洗濯機の全体の大きさを変更せずにドラムの容積を大きくすることが可能であり、かつ、脱水行程の立ち上がり時間を短縮することが可能な洗濯機を提供することができる。
【００１９】
この発明に従った洗濯機は、水および洗剤泡を貯留するための滞留部を備えることが好ましい。滞留部は、排水路の入口に配置されていることが好ましい。
【００２０】
このようにすることにより、洗濯の水または洗剤泡を滞留部に一時的に滞留させることができるので、脱水行程において、洗濯槽から排出される水量が排水経路の排出能力を一時的に超えたとしても、洗濯槽と水または洗剤泡との接触を防ぐことができる。
【００２１】
この発明に従った洗濯機においては、滞留部は、滞留部に貯留された水または洗剤泡が洗濯槽の外周面と離隔して貯留されるように構成されていることが好ましい。
【００２２】
このようにすることにより、洗濯槽と水または洗剤泡との接触を、より確実に防ぐことができる。
【００２３】
この発明に従った洗濯機は、滞留水排水路を備えることが好ましい。滞留水排水路は入口を有し、滞留水排水路の入口は、滞留部と洗濯槽の開口部との間に配置されていることが好ましい。
【００２４】
このようにすることにより、滞留部に滞留する水または洗剤泡のうち、滞留部の上部に溜まる洗剤泡を滞留部から効率的に排出することができる。このようにして、洗剤泡が洗濯槽に接触することを防ぐことができる。
【００２５】
この発明に従った洗濯機は、洗濯槽の内部から排出された水を洗濯槽の内部に戻すための循環水路と、循環水路内において水を送出するための循環ポンプとを備えることが好ましい。
【００２６】
このようにすることにより、洗濯槽から排出された水を洗濯槽に戻し、また、循環ポンプの注水による洗濯を行うことによって、洗濯性能を向上させることができる。
【００２７】
この発明に従った洗濯機は、水槽に接続される水槽排水経路を備えることが好ましい。水槽排水経路は入口を有し、水槽排水経路の入口は、洗濯槽の底部の近傍に配置されていることが好ましい。
【００２８】
このようにすることにより、洗濯槽と水槽の間に流れ込んだ水や洗剤泡を水槽排水経路を通して排出することによって、洗濯槽と水槽との間に水や洗剤泡が滞留することを防ぐことができる。
【００２９】
また、水槽の内部、あるいは、洗濯槽の裏側（外側）に結露した水を、水槽排水経路を通して排出することができる。
【発明の効果】
【００３０】
以上のように、この発明によれば、洗濯機の全体の大きさを変更せずにドラムの容積を大きくすることが可能であり、かつ、脱水行程の立ち上がり時間を短縮することが可能な洗濯機を提供することができる。
【図面の簡単な説明】
【００３１】
【図１】本発明の一つの実施の形態に係る洗濯機の全体を模式的に示す図である。
【図２】本発明の一つの実施の形態に係る洗濯機が備える回転ドラムと外槽と滞留部とを洗濯機の正面側から見たときの図である。
【発明を実施するための形態】
【００３２】
以下、この発明の一つの実施の形態を図面に基づいて説明する。
【００３３】
図１に示すように、この発明の一つの実施の形態の洗濯機１は、全体が筐体１０１によって覆われている。図１において左側を洗濯機１の正面側とし、図１において右側を洗濯機１の背面側とする。
【００３４】
洗濯機１の筐体１０１の内部には、主に、水槽１１０と、水槽１１０の内部において回転可能に支持される洗濯槽１２０と、洗濯槽１２０を回転させる駆動部１３０と、排水路として排水管１４１と排水ホース１４２と、滞留部１４３と、排水弁１４４と、水位センサ１４５と、循環ポンプ１５０と、循環水路１５１とが収容されている。
【００３５】
洗濯槽１２０は、洗濯物を出し入れするための開口部１２２と開口部１２２に対向する底部１２１とを有し、洗濯物を収容して水平方向に対して傾斜した回転軸線を中心に回転することができるように配置されている。底部１２１は開口部１２２よりも下方に配置されている。洗濯槽１２０は、底部１２１から開口部１２２に向かうにつれて次第に径が大きくなるテーパ形状に形成されている。洗濯槽１２０の周壁面１２３において開口部１２２側の端部には、排水孔１２４が形成されている。洗濯槽１２０には、開口部１２２と排水孔１２４の他には、穴は形成されておらず、洗濯槽１２０の内部に洗濯の水を溜めることができる。洗濯槽１２０の内部には、洗濯物が収容される。
【００３６】
駆動部１３０は、回転軸線を中心に洗濯槽１２０を回転させるためのものである。
【００３７】
滞留部１４３は、水槽１１０の前側端部に接続されて、水槽１１０の下方に配置されている。滞留部１４３の下部には、排水管１４１の一方の端部が接続されている。排水管１４１の他方の端部は、排水ホース１４２の一方の端部に接続されている。排水ホース１４２の他方の端部は、筐体１０１の外部に開口している。
【００３８】
排水管１４１と排水ホース１４２との間には、循環ポンプ１５０と排水弁１４４とが配置されている。排水弁１４４は、滞留部１４３に排出された水を直ちに排水ホース１４２に排出せずに、一時的に滞留部１４３に滞留させるものである。循環ポンプ１５０を駆動させることによって、滞留部１４３に滞留させた水を水槽１１０内に戻すことができる。循環ポンプ１５０の吐出部には、循環水路１５１が接続されている。循環水路１５１は、洗濯機１の筐体１０１内において下部に配置される循環ポンプ１５０から、上方に向かって延びて、洗濯槽１２０の上部から洗濯槽１２０内に向かって循環水を供給することが可能であるように、水槽１１０内に差し込まれている。排水弁１４４を開くと、滞留部１４３と排水管１４１内の水が排水ホース１４２を通って筐体１０１の外部に排出される。
【００３９】
滞留部１４３には水位検知部として水位センサ１４５が配置されている。水位センサ１４５の検出値によって、水道からの給水量を調整したり、あるいは、循環ポンプ１５０を駆動したりするように構成されている。
【００４０】
水槽１１０の底部において後方側には、水槽排水経路１６０が接続されている。水槽排水経路１６０の入口１６１は、水槽１１０の側壁面上において、洗濯槽１２０の底部１２１の近傍に形成されている。水槽排水経路１６０も、循環ポンプ１５０に接続されている。
【００４１】
図２に示すように、洗濯槽１２０の外周壁面において開口部側には複数の排水孔１２４が形成されている。洗濯槽１２０の外周面を覆う水槽１１０の下方には、滞留部１４３が配置されている。滞留部１４３の下部には排水管１４１が接続されている。滞留部１４３と洗濯槽１２０との間には、滞留水排水路としてオーバーフロー口１４６が接続されている。オーバーフロー口１４６の入口は、滞留部１４３と洗濯槽１２０との間に形成されている。オーバーフロー口１４６は、循環ポンプ１５０（図１）、排水弁１４４（図１）を介さず、直接、排水ホース１４２に接続されている。
【００４２】
この実施の形態においては、例えば、洗濯槽１２０の径Ｒ１がφ５００ｍｍ、水槽１１０の径Ｒ２がφ５４０ｍｍであるときには、滞留部１４３の長さＲ３を４００ｍｍ、滞留部１４３の高さＨを２００ｍｍ、排水管１４１の径Ｒ４をφ３０ｍｍにする。このようにすることにより、滞留部１４３に貯留される水または洗剤泡が洗濯槽１２０の外周面と離隔して貯留される。
【００４３】
以上のように構成された洗濯機１の動作について説明する。
【００４４】
まず、洗濯時の洗い行程においては、洗濯槽１２０内に、洗濯機１の外部の水道から給水経路（図示しない）を通して水が供給される。水の量は、洗濯物の量や質に応じて調整される。洗濯槽１２０の底部１２１は開口部１２２と比較して下方に配置されているので、底部１２１から開口部１２２までの間に水が貯められる。
【００４５】
水の量は、洗濯物の量や質に応じて調整されるが、洗濯槽１２０内に溜まった水位、あるいは、洗濯槽１２０から溢れ、水位センサ１４５によって検出される滞留部１４３に溜まった水位に基づいて、必要な水の量が給水されたかどうか判定される。また、必要に応じて洗剤が水道からの給水とともに投入される。
【００４６】
洗い行程においては、駆動部１３０が洗濯槽１２０を例えば４０〜８０ｒｐｍ程度の低速で回転させる。洗濯槽１２０が回転されると、洗濯槽１２０の内部の洗濯物が洗濯槽１２０の内部に貯められた水によって洗濯される。
【００４７】
洗濯槽１２０が回転し、洗濯が行われている時、図１に矢印Ｗ１とＷ２で示すように、排水孔１２４と開口部１２２とから洗濯の水がこぼれてしまうことがある。これは、洗濯物の量が多いときなど洗濯槽１２０内への給水量が多い場合や、洗濯槽１２０の回転速度が比較的高速になった場合に発生しやすい。この状態を放置して洗濯槽１２０を回転させ続けると、洗濯槽１２０内の洗濯水が減少し、洗濯性能が低下する懸念が生じる。そこで、開口部１２２から洗濯の水がこぼれる場合には、排水弁１４４を閉じておき、洗濯槽１２０からこぼれた洗濯水を滞留部１４３が直接回収する。また、循環ポンプ１５０を駆動させて、循環水路１５１を通じて、洗濯の水を図１に矢印Ｗ３で示すように洗濯槽１２０内に戻す。
【００４８】
排水孔１２４と開口部１２２とから洗濯槽１２０の外部に排出された水は、洗濯槽１２０の外側に配置される水槽１１０内に流れ出る。水槽１１０において洗濯槽１２０の開口部１２２の近傍には、排水管１４１の入口の上流側に配置される滞留部１４３が接続されており、水は滞留部１４３に貯められる。滞留部１４３に貯められる水が洗剤を含む場合には、滞留部１４３には、洗剤泡も滞留する。滞留部１４３に貯留される水と洗剤泡は、洗濯槽１２０の外周面と離隔して貯留されている。
【００４９】
滞留部１４３に貯留される水や洗剤泡の量が多くなり、水面がオーバーフロー口１４６の入口に達すると、滞留部１４３内の水は、オーバーフロー口１４６を通って、滞留部１４３から排出される。このようにすることにより、滞留部１４３に滞留する水または洗剤泡が滞留部１４３から溢れて、洗濯槽１２０に接触することを防ぐことができる。
【００５０】
なお、滞留部１４３に貯留される水や洗剤泡の量が多くなり、水槽１１０内に水が溢れた場合には、水は、水槽１１０内において最も高さが低い後方側端部に向かって流れる。水槽１１０の後方側端部には、水槽排水経路１６０が接続されている。水槽１１０の後方側端部に向かって流れた水は、水槽１１０内に滞留せずに、水槽排水経路１６０を通って水槽１１０から排出される。また、洗濯槽１２０の裏側（外側）に結露した水は、水槽排水経路１６０を通して排出される。
【００５１】
洗い行程が終了すると、中間脱水行程に移行する。まず、循環ポンプ１５０の駆動を停止し、さらに、排水弁１４４を開放させて、滞留部１４３に溜まった洗濯の水や泡を排出する。水位センサ１４５の検出値から滞留部１４３に洗濯の水や泡がなくなったことを検出するか、あるいは、排水弁１４４を開放してから一定時間が経過した後、駆動部１３０は、洗濯槽１２０を、例えば１２０〜１８０ｒｐｍの中速回転で回転させ、次に、例えば１０００ｒｐｍを超える高速回転で回転させて、脱水を実施する。
【００５２】
脱水行程においては、洗濯槽１２０のバランス状態が重要である。バランスが悪い状態で洗濯槽１２０を高速に回転させると、異常振動を起こし、洗濯機１本体が吹き飛ぶ等、非常に危険な状態となる。このため、洗濯槽１２０を含む振動体の共振周波数以下である１２０〜１８０ｒｐｍの中速回転で洗濯槽１２０内の洗濯水をできるだけ排出させる。中速回転で洗濯水の排出が終了した後、洗濯槽１２０のバランス状態を注視しながら、高速回転に移行する。中速回転では衣類に含まれている水の大部分は残ったままであるが、高速回転による遠心力によって、洗濯槽１２０の周壁面１２３に沿って開口部１２２に向かって流れ、排水孔１２４から洗濯槽１２０の外、すなわち滞留部１４３に排出される。この後、滞留部１４３に排出された洗濯水は、順に、排水管１４１、排水弁１４４、排水ホース１４２を通って洗濯機１の外に排出される。
【００５３】
中間脱水行程の後、すすぎ行程、脱水行程が実施される。
【００５４】
すすぎ行程は、洗い行程と同様、洗濯槽１２０内に水道水を給水し、駆動部１３０によって洗濯槽１２０を回転させて行なう。循環ポンプ１５０の駆動についても洗い行程と同様である。すすぎ行程が終了すると、脱水行程が行われる。その後、必要なすすぎ状態に応じて、すすぎ行程、脱水行程が繰り返し行われる。
【００５５】
以上のように、この発明の一つの実施の形態に従った洗濯機１は、筐体１０１と、水槽１１０と、洗濯槽１２０と、駆動部１３０と、排水管１４１と排水ホース１４２とを備える。水槽１１０は、筐体１０１の内部に配置される。洗濯槽１２０は、洗濯物を出し入れするための開口部１２２と開口部１２２に対向する底部１２１とを有し、洗濯物を収容して水平方向に対して傾斜した回転軸線を中心に回転することができるように水槽１１０の内部に配置され、内部で洗濯物の洗い、すすぎおよび脱水を行なうためのものである。駆動部１３０は、回転軸線を中心に洗濯槽１２０を回転させるものである。排水管１４１と排水ホース１４２は、洗濯槽１２０内の水を筐体１０１の外部に排出するためのものである。
【００５６】
洗濯槽１２０は、底部１２１から開口部１２２に向かうにつれて次第に径が大きくなるテーパ形状に形成され、底部１２１は開口部１２２よりも下方に配置されている。洗濯槽１２０には、開口部１２２側に排水孔１２４が形成されている。
【００５７】
排水管１４１は入口を有し、排水管１４１の入口は、洗濯槽１２０の外部において洗濯槽１２０の開口部１２２の近傍に配置されている。
【００５８】
駆動部１３０によって洗濯槽１２０が回転させられると、洗濯槽１２０内の水は、遠心力によってテーパ形状に形成された洗濯槽１２０の周壁面に沿って、底部１２１から開口部１２２に向かって流れる。洗濯槽１２０の開口部１２２側には、排水孔１２４が形成されている。開口部１２２まで流れた洗濯槽１２０内の水は、排水孔１２４を通って洗濯槽１２０の外部に排出される。
【００５９】
開口部１２２の近傍には、排水管１４１の入口が配置されている。排水孔１２４から排出された水は、排水管１４１の入口から排水管１４１と排水ホース１４２に流入する。
【００６０】
このように、洗濯槽１２０内から排出される水は、洗濯槽１２０の開口部１２２側から排出されて、そのまま排水管１４１と排水ホース１４２に流入するので、洗濯槽１２０と水槽１１０との間に流れ込みにくくなり、洗濯槽１２０と水槽１１０との間に水が溜まりにくくなる。このように、洗濯槽１２０の回転の阻害要因となっていた水槽１１０内の洗濯の水や泡がなくなるので、従来必要とされていた、洗濯の水や泡を水槽１１０外に排出するための１分程度の待ち時間が不要になる。
【００６１】
また、水槽１１０内の洗濯の水や泡がなくなるので、水槽１１０と洗濯槽１２０との間を大きくあける必要がなくなる。
【００６２】
このようにすることにより、洗濯機１の全体の大きさを変更せずにドラムの容積を大きくすることが可能であり、かつ、脱水行程の立ち上がり時間を短縮することが可能な洗濯機１を提供することができる。
【００６３】
また、洗濯機１は、水および洗剤泡を貯留するための滞留部１４３を備える。滞留部１４３は、排水管１４１の入口に配置されている。
【００６４】
このようにすることにより、洗濯の水または洗剤泡を滞留部１４３に一時的に滞留させることができるので、脱水行程において、洗濯槽１２０から排出される水量が排水経路の排出能力を一時的に超えたとしても、洗濯槽１２０と水または洗剤泡との接触を防ぐことができる。
【００６５】
また、洗濯機１においては、滞留部１４３は、滞留部１４３に貯留された水または洗剤泡が洗濯槽１２０の外周面と離隔して貯留されるように構成されている。
【００６６】
このようにすることにより、洗濯槽１２０と水または洗剤泡との接触を、より確実に防ぐことができる。
【００６７】
また、洗濯機１は、オーバーフロー口１４６を備えることが好ましい。オーバーフロー口１４６は入口を有し、オーバーフロー口１４６の入口は、滞留部１４３と洗濯槽１２０の開口部１２２との間に配置されている。
【００６８】
このようにすることにより、滞留部１４３に滞留する水または洗剤泡のうち、滞留部１４３の上部に溜まる洗剤泡を滞留部１４３から効率的に排出することができる。このようにして、洗剤泡が洗濯槽１２０に接触することを防ぐことができる。
【００６９】
また、洗濯機１は、洗濯槽１２０の内部から排出された水を洗濯槽１２０の内部に戻すための循環水路１５１と、循環水路１５１内において水を送出するための循環ポンプ１５０とを備える。
【００７０】
このようにすることにより、洗濯槽１２０から排出された水を洗濯槽１２０に戻し、また、循環ポンプ１５０の注水による洗濯を行うことによって、洗濯性能を向上させることができる。
【００７１】
また、洗濯機１は、水槽１１０に接続される水槽排水経路１６０を備える。水槽排水経路１６０は入口１６１を有し、水槽排水経路１６０の入口１６１は、洗濯槽１２０の底部１２１の近傍に配置されている。
【００７２】
このようにすることにより、洗濯槽１２０と水槽１１０の間に流れ込んだ水や洗剤泡を水槽排水経路１６０を通して排出することによって、洗濯槽１２０と水槽１１０との間に水や洗剤泡が滞留することを防ぐことができる。
【００７３】
また、水槽１１０の内部、あるいは、洗濯槽１２０の裏側（外側）に結露した水を、水槽排水経路１６０を通して排出することができる。
【００７４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００７５】
１：洗濯機、１０１：筐体、１１０：水槽、１２０：洗濯槽、１２１：底部、１２２：開口部、１２４：排水孔、１３０：駆動部、１４１：排水管、１４２：排水ホース、１４３：滞留部、１４６：オーバーフロー口、１５０：循環ポンプ、１５１：循環水路、１６０：水槽排水経路、１６１：入口。
【図１】
2011120634.tif 000003
【図２】
2011120634.tif 000004